(57)【要約】【課題】施工が簡単で、かつ、畳台への取付け、取り外しを容易に行なえるとともに、意匠性に優れた框構造を提供する。【解決手段】方形箱体の畳台３の框構造であって、該框構造Ａは、該方形箱体を構成する側面板３２に固定された化粧側板２と、この化粧側板２に取付けられる框部１とからなるとともに、該框部１は、天面部１１と、この天面部１１の外側端縁から垂下する側面部１２と、この側面部１２の下端部を略直角に内側に曲成した下部脚部１３とが一体的に形成されてなり、上記天面部１１の内側端縁の垂下部は、上記化粧側板２の上端部と係合する係合部１４とされた畳台の框構造。【選択図】図１
2005068770.tif 000002
【特許請求の範囲】
【請求項１】
畳を載置する方形箱型の畳台の框構造であって、該框構造は、該方形箱体を構成する側面板に固定された化粧側板と、この化粧側板に取付けられる框部とからなるとともに、該框部は、天面部と、この天面部の外側端縁から垂下する側面部と、この側面部の下端部を略直角に内側に曲成した下部脚部とが一体的に形成されてなり、上記天面部の内側端縁の垂下部は、上記化粧側板の上端部と係合する係合部とされた畳台の框構造。
【請求項２】
上記天面部の裏面部には側断面矢印形の係止部が突設されるとともに、上記化粧側板の上部端面には、上記係止部と着脱自在に係合する上部溝部が凹設された、請求項１に記載の畳台の框構造。
【請求項３】
上記化粧側板には、その長手方向に沿って上記下部脚部と着脱自在に係合する側部溝部が凹設された請求項１に記載の畳台の框構造。
【請求項４】
上記側面部の裏面略中央部には中央脚部が突設されるとともに、上記下部脚部には係止片が付設され、上記中央脚部と上記係止片とによって、側面部と化粧側板との間に隙間が形成された請求項１に記載の畳台の框構造。
【請求項５】
上記框部の端部どうしを突合せたコーナー部に装着されるコーナーカバーをさらに備えた請求項１に記載の畳台の框構造。
【発明の詳細な説明】
【技術分野】
【０００１】
本発明は、畳台の框構造に関する。さらに詳しくは、畳を載置するとともに、部屋の一角に和室空間を生み出す畳台の框構造に関する。
【背景技術】
【０００２】
従来、住宅のリビングルームは、カーペットを敷きつめたり、木質材でフローリングする等、洋風にしつらえることが多い。しかし、近年、くつろいだり、気軽に寝転ぶことのできる和風の畳空間が見直され、それに対するニーズが増している。この場合、半畳正方形タイプ、あるいは１畳タイプの畳を載置した畳台を所望の畳数となるように組合わせ、例えば、Ｌ型に配置して部屋の一角に和室空間を設けることが行なわれている。畳台の下部空間は、通常、収納スペースとして利用されることが多く、例えば、公知の畳台として畳床収納ボックスユニットが提案されている。
【特許文献１】特開平１１−２９９５５７号公報（第１−４頁、第１図、第３図、第４図）
【０００３】
本願図４は、半畳正方形タイプの畳を載置する特許文献１に記載の畳台Ｂを示す部分断面斜視図であり、方形箱体の畳台３のふた板３１の上に半畳正方形タイプの畳Ｔを載置し、下部の空間を収納スペースとして利用している。本願図４からよくわかるように、畳台３の側面板３２は、化粧側板５で覆われ、その上部には框６が取付けられている。本願図５は、本願図４におけるＸ−Ｘ線に沿う側断面図であり、通常、無垢板もしくは木質系の板材から構成される框６は、その天部６１の裏面にほぞ穴６１１が設けられ、このほぞ穴６１１に上記化粧側板５の上部に突設されたほぞ５１を嵌合するとともに、框６の側面部６２は、畳台３の側面板３２にビスＧで固定されている。
【発明の開示】
【発明が解決しようとする課題】
【０００４】
しかしながら、框の天部の裏面にほぞ穴を設けるのは手間がかかり、また化粧側板を介し、重い框を畳台の側面板にビスで固定する作業は、作業性が悪く、手間がかかるという問題がある。また、框の角部における突合せを接合し、見栄えよく仕上げるには、熟練した技術を要する。本発明は、このような問題を解決して、施工が簡単で、かつ、畳台への取付け、取り外しを容易に行なえるとともに、意匠性に優れた框構造を提供することを、その課題とする。
【課題を解決するための手段】
【０００５】
上記課題を解決するために、本発明においては、つぎのような技術的手段を講じている。すなわち、本発明によれば、畳を載置する方形箱型の畳台の框構造であって、該框構造は、該方形箱体を構成する側面板に固定された化粧側板と、この化粧側板に取付けられる框部とからなるとともに、該框部は、天面部と、この天面部の外側端縁から垂下する側面部と、この側面部の下端部を略直角に内側に曲成した下部脚部とが一体的に形成されてなり、上記天面部の内側端縁の垂下部は、上記化粧側板の上端部と係合する係合部とされた畳台の框構造が提供される。
【０００６】
上記天面部の裏面部には側断面矢印形の係止部が突設されるとともに、上記化粧側板の上部端面には、上記係止部と着脱自在に係合する上部溝部が設けられることが好ましい。
【０００７】
上記化粧側板には、その長手方向に沿って上記下部脚部と着脱自在に係合する側部溝部が凹設されることが好ましい。
【０００８】
上記側面部の裏面略中央部には中央脚部が突設されるとともに、上記下部脚部には係止片が付設され、上記中央脚部と、上記係止片とによって側面部と化粧側板との間に隙間が形成されることが好ましい。さらに、上記框部の端部を突合せたコーナー部に装着されるコーナーカバーを備えることが好ましい。
【発明の効果】
【０００９】
請求項１に記載の発明は上記のとおりであり、とくに、框部が、天面部と、この天面部の外側端縁から垂下する側面部と、この側面部の下端部を略直角に内側に曲成した下部脚部とが一体的に形成されてなり、上記天面部の内側端縁の垂下部は、上記化粧側板の上端部と係合する係合部とされているため、施工が簡単で、框の畳台への取付け、取り外しを容易に行なうことができる。
【００１０】
上記天面部の裏面部には側断面矢印形の係止部が突設されるとともに、上記化粧側板の上部端面には、上記係止部と着脱自在に係合する上部溝部が凹設されているため、框部の天面部をしっかりと化粧側板の上部に取付けることができる。
【００１１】
上記化粧側板には、その長手方向に沿って上記下部脚部と着脱自在に係合する側部溝部が凹設されているため、框部の下部脚部をしっかりと化粧側板に取付けることができる。
【００１２】
上記側面部の裏面略中央部には中央脚部が突設されるとともに、上記下部脚部には係止片が付設され、上記中央脚部と、上記係止片とが側面部と化粧側板との間に隙間を形成するため、框部全体のボリュームが増し、重量感のあるデザインとすることができる。
【００１３】
上記框部の端部どうしを突合せたコーナー部に装着されるコーナーカバーをさらに備えるため、上記端部どうしの接合面を簡単に覆うことができ、かつ、意匠性にも優れたものとなる。
【発明を実施するための最良の形態】
【００１４】
以下、本発明の実施形態について図面を参照して詳細に説明する。図１は、本発明にかかる畳台の框構造Ａを示す側断面図である。図１において、畳台３は半畳正方形タイプの畳Ｔを載置する方形箱体であり、ふた板３１の上に畳Ｔが載置され、化粧側板２は、畳台３の側面板３２に平ビスＦで固定されている。また、框部１は、弾性を有する合成樹脂の成形品からなり、天面部１１、その外側端縁から垂下する側面部１２および側面部１２の下端部を略直角に内側に曲成した下部脚部１３が一体的に成形され、天面部１１の内側端縁は垂下されて、化粧側板２の上部と係合する係合部１４とされている。この係合部１４は畳Ｔの側面と当接して、畳Ｔがずれたり、落ちたりすることを防ぐ機能をも有する。
【００１５】
上記天面部１１の裏面部には側断面矢印形の係止部１１１が突設され、化粧側板２の上部端面には、上記係止部１１１と着脱自在に係合する上部溝部２１が凹設されている。一方、下部脚部１３は、化粧側板２の側面の長手方向に沿って凹設された側部溝部２２に着脱自在に係合し、このようにして、框部１が化粧側板２に取付けられ、框構造Ａが形成される。なお、側面部１２の裏面略中央部に突設された中央脚部１５と、下部脚部１３に付設された係止片１３１とによって、框部１の側面部１２と化粧側板２との間には隙間が形成されて框部１全体のボリュームが増し、重量感のあるデザインとなっている。
【００１６】
上記框部１の端部どうしが突き合わされるコーナー部では、図２に示すように、コーナーカバー４を装着して両者の接合面を覆う。コーナーカバー４は、框部１と同様に、弾性を有する合成樹脂の成形品からなり、コーナーカバー４を用いることにより、簡単に出隅、入り隅部を覆って、その仕舞をすることができる。図３は、本発明にかかる框構造Ａを備えるとともに、半畳正方形タイプの畳Ｔを載置する方形箱型の畳台３をＬ型に組み合わせ、２畳の畳空間をリビングの隅部に生み出した例を示す斜視図である。上記框構造Ａを用いることにより、簡単に、意匠性よく部屋に和風の空間が設けられることが明らかである。
【図面の簡単な説明】
【００１７】
【図１】本発明にかかる畳台の框構造を示す側断面図である。
【図２】コーナーカバーを示す斜視図である。
【図３】本発明にかかる畳台を組合わせた例を示す斜視図である。
【図４】公知の畳台を示す部分断面斜視図である。
【図５】図４におけるＸ−Ｘ線に沿う側断面図である。
【符号の説明】
【００１８】
Ａ          本発明にかかる畳台の框構造
１          框部
１１        天面部
１１１      係止部
１２        側面部
１３        下部脚部
１３１      係止片
１４        係合部
１５        中央脚部
２          化粧側板
２１        上部溝部
２２        側部溝部
３          畳台
３１        ふた板
３２        側面板
４          コーナーカバー
Ｆ          化粧側板固定用平ビス
Ｔ          畳
Ｂ          公知の畳台
５          上記における化粧側板
５１        上記におけるほぞ
６          上記における框
６１        上記における框天部
６１１      上記におけるほぞ穴
６２        上記における框側面部
Ｇ          上記における框固定用ビス
【図１】
2005068770.tif 000003
【図２】
2005068770.tif 000004
【図３】
2005068770.tif 000005
【図４】
2005068770.tif 000006
【図５】
2005068770.tif 000007